【手続補正書】
【提出日】平成28年9月28日(2016.9.28)
【手続補正１】
【補正対象書類名】特許請求の範囲
【補正対象項目名】全文
【補正方法】変更
【補正の内容】
【特許請求の範囲】
【請求項１】
支持体と、電荷発生層と、電荷輸送層と、をこの順に有する電子写真感光体であって、
該電荷発生層が、
ガリウムフタロシアニン結晶、
含窒素複素環化合物、および
式（１）で示される化合物を含有し、
該含窒素複素環化合物の複素環中の窒素原子が、
置換もしくは無置換のアシル基、―（Ｃ＝Ｏ）―Ｏ―Ｒ１、置換もしくは無置換のアルキル基、置換もしくは無置換のアルケニル基、置換もしくは無置換のアリール基、および置換もしくは無置換の複素環基から選択される何れかの置換基
（ただし、置換のアシル基の置換基は、置換もしくは無置換のアルキル基、置換もしくは無置換のアルケニル基、置換もしくは無置換のアリール基、または置換もしくは無置換の複素環基である。Ｒ１は、置換もしくは無置換のアルキル基、置換もしくは無置換のアルケニル基、置換もしくは無置換のアリール基、または、置換もしくは無置換の複素環基を示す。
該置換のアルキル基の置換基、該置換のアルケニル基の置換基、該置換のアリール基の置換基、該置換の複素環基の置換基は、ハロゲン原子、シアノ基、ニトロ基、ヒドロキシ基、ホルミル基、アルキル基、アルケニル基、アルコキシ基、またはアリール基である。）
を有することを特徴とする電子写真感光体。
【化１】
2015069089.tif 000001
（上記式（１）中、ｍは４〜８の整数を示す。ｍ個のＡｒ１は同一であっても異なってもよく、置換もしくは無置換の芳香族炭化水素環、置換もしくは無置換の複素環、または、置換の芳香族炭化水素環、無置換の芳香族炭化水素環、置換の複素環および無置換の複素環からなる群より選択される複数の基が結合して形成された１価の基を示す。）
【請求項２】
支持体と、電荷発生層と、電荷輸送層と、をこの順に有する電子写真感光体であって、
該電荷発生層が、
ガリウムフタロシアニン結晶、
含窒素複素環化合物、および式（２）で示される化合物を含有し、
該含窒素複素環化合物の複素環中の窒素原子が、置換もしくは無置換のアシル基、―（Ｃ＝Ｏ）―Ｏ―Ｒ１、置換もしくは無置換のアルキル基、置換もしくは無置換のアルケニル基、置換もしくは無置換のアリール基、および置換もしくは無置換の複素環基から選択される何れかの置換基（ただし、置換のアシル基の置換基は、置換もしくは無置換のアルキル基、置換もしくは無置換のアルケニル基、置換もしくは無置換のアリール基、または置換もしくは無置換の複素環基である。Ｒ１は、置換もしくは無置換のアルキル基、置換もしくは無置換のアルケニル基、置換もしくは無置換のアリール基、または、置換もしくは無置換の複素環基を示す。
該置換のアルキル基の置換基、該置換のアルケニル基の置換基、該置換のアリール基の置換基、該置換の複素環基の置換基は、ハロゲン原子、シアノ基、ニトロ基、ヒドロキシ基、ホルミル基、アルキル基、アルケニル基、アルコキシ基、またはアリール基である。）
を有することを特徴とする電子写真感光体。
【化２】
2015069089.tif 000002
（上記式（２）中、４個のＲ２は同一であっても異なっていてもよく、水素原子、または、置換もしくは無置換のアルキル基を示す。４個のＡｒ２は同一であっても異なってもよく、置換もしくは無置換の芳香族炭化水素環、置換もしくは無置換の複素環、または、置換の芳香族炭化水素環、無置換の芳香族炭化水素環、置換の複素環および無置換の複素環からなる群より選択される複数の基が結合して形成された１価の基を示す。）
【請求項３】
前記電荷発生層における、前記含窒素複素環化合物の含有量が、前記ガリウムフタロシアニン結晶に対して０．０１質量％以上２０質量％以下であり、
前記電荷発生層における、前記式（１）で示される化合物の含有量または前記式（２）で示される化合物の含有量が、前記ガリウムフタロシアニン結晶に対して０．０１質量％以上５質量％以下である請求項１または２に記載の電子写真感光体。
【請求項４】
前記電荷発生層における、前記含窒素複素環化合物の含有量が、前記ガリウムフタロシアニン結晶に対して０．１質量％以上５質量％以下であり、
前記電荷発生層における、前記式（１）で示される化合物の含有量または前記式（２）で示される化合物の含有量が、前記ガリウムフタロシアニン結晶に対して０．３質量％以上５質量％以下である請求項１または２に記載の電子写真感光体。
【請求項５】
前記ガリウムフタロシアニン結晶が、前記含窒素複素環化合物を結晶内に含有するガリウムフタロシアニン結晶である請求項１から４のいずれか１項に記載の電子写真感光体。
【請求項６】
前記含窒素複素環化合物が、ピロール、ピロリジン、モルホリン、ピペラジン、ピペリジン、４―ピペリドン、インドール、フェノチアジン、フェノキサジン、またはカルバゾールである請求項１から５のいずれか１項に記載の電子写真感光体。
【請求項７】
前記含窒素複素環化合物の環を構成する窒素原子以外の原子が有する置換基が、水素原子、置換もしくは無置換のアルキル基、置換もしくは無置換のアリール基、置換もしくは無置換の複素環基、ハロゲン原子、ヒドロキシ基、ホルミル基、アルケニル基、アルコキシ基、またはアルキルオキシカルボニル基であり、
該置換のアルキル基の置換基、該置換のアリール基の置換基、該置換の複素環基の置換基は、ハロゲン原子、ヒドロキシ基、またはホルミル基である請求項１から５のいずれか１項に記載の電子写真感光体。
【請求項８】
前記含窒素複素環化合物が、式（３）で示される化合物である請求項１から５のいずれか１項に記載の電子写真感光体。
【化３】
2015069089.tif 000003
（上記式（３）中、Ｒ１３は、置換もしくは無置換のアシル基、―（Ｃ＝Ｏ）―Ｏ―Ｒ１１、置換もしくは無置換のアルキル基、置換もしくは無置換のアルケニル基、置換もしくは無置換のアリール基、または、置換もしくは無置換の複素環基を示す。置換のアシル基の置換基は、置換もしくは無置換のアルキル基、置換もしくは無置換のアルケニル基、置換もしくは無置換のアリール基、または置換もしくは無置換の複素環基である。Ｒ１１は、置換もしくは無置換のアルキル基、置換もしくは無置換のアルケニル基、置換もしくは無置換のアリール基、または、置換もしくは無置換の複素環基を示す。
該置換のアルキル基の置換基、該置換のアルケニル基の置換基、該置換のアリール基の置換基、該置換の複素環基の置換基は、ハロゲン原子、シアノ基、ニトロ基、ヒドロキシ基、ホルミル基、アルキル基、アルケニル基、アルコキシ基、アリール基である。）
【請求項９】
前記含窒素複素環化合物が、式（４）で示される化合物である請求項１から５のいずれか１項に記載の電子写真感光体。
【化４】
2015069089.tif 000004
（上記式（４）中、Ｒ２３およびＲ２４は、それぞれ独立に、置換もしくは無置換のアシル基、―（Ｃ＝Ｏ）−Ｏ−Ｒ２１、置換もしくは無置換のアルキル基、置換もしくは無置換のアルケニル基、置換もしくは無置換のアリール基、または、置換もしくは無置換の複素環基を示す。置換のアシル基の置換基は、置換もしくは無置換のアルキル基、置換もしくは無置換のアルケニル基、置換もしくは無置換のアリール基、または置換もしくは無置換の複素環基である。Ｒ２１は、置換もしくは無置換のアルキル基、置換もしくは無置換のアルケニル基、置換もしくは無置換のアリール基、または、置換もしくは無置換の複素環基を示す。
該置換のアルキル基の置換基、該置換のアルケニル基の置換基、該置換のアリール基の置換基、該置換の複素環基の置換基は、ハロゲン原子、シアノ基、ニトロ基、ヒドロキシ基、ホルミル基、アルキル基、アルケニル基、アルコキシ基、アリール基である。）
【請求項１０】
前記含窒素複素環化合物が、式（５）で示される化合物である請求項１から５のいずれか１項に記載の電子写真感光体。
【化５】
2015069089.tif 000005
（上記式（５）中、Ｒ３３は、置換もしくは無置換のアシル基、―（Ｃ＝Ｏ）―Ｏ―Ｒ３１、置換もしくは無置換のアルキル基、置換もしくは無置換のアルケニル基、置換もしくは無置換のアリール基、または、置換もしくは無置換の複素環基を示す。置換のアシル基の置換基は、置換もしくは無置換のアルキル基、置換もしくは無置換のアルケニル基、置換もしくは無置換のアリール基、または置換もしくは無置換の複素環基である。Ｒ３１は、置換もしくは無置換のアルキル基、置換もしくは無置換のアルケニル基、置換もしくは無置換のアリール基、または、置換もしくは無置換の複素環基を示す。
該置換のアルキル基の置換基、該置換のアルケニル基の置換基、該置換のアリール基の置換基、該置換の複素環基の置換基は、ハロゲン原子、シアノ基、ニトロ基、ヒドロキシ基、ホルミル基、アルキル基、アルケニル基、アルコキシ基、アリール基である。）
【請求項１１】
前記含窒素複素環化合物が、式（６）で示される化合物である請求項１から５のいずれか１項に記載の電子写真感光体。
【化６】
2015069089.tif 000006
（上記式（６）中、Ｒ４３は、置換もしくは無置換のアシル基、―（Ｃ＝Ｏ）―Ｏ―Ｒ４１、置換もしくは無置換のアルキル基、置換もしくは無置換のアルケニル基、置換もしくは無置換のアリール基、または、置換もしくは無置換の複素環基を示す。置換のアシル基の置換基は、置換もしくは無置換のアルキル基、置換もしくは無置換のアルケニル基、置換もしくは無置換のアリール基、または置換もしくは無置換の複素環基である。Ｒ４１は、置換もしくは無置換のアルキル基、置換もしくは無置換のアルケニル基、置換もしくは無置換のアリール基、または、置換もしくは無置換の複素環基を示す。
該置換のアルキル基の置換基、該置換のアルケニル基の置換基、該置換のアリール基の置換基、該置換の複素環基の置換基は、ハロゲン原子、シアノ基、ニトロ基、ヒドロキシ基、ホルミル基、アルキル基、アルケニル基、アルコキシ基、アリール基である。）
【請求項１２】
前記含窒素複素環化合物が、式（７）で示される化合物である請求項１から５のいずれか１項に記載の電子写真感光体。
【化７】
2015069089.tif 000007
（上記式（７）中、Ｒ５３は、置換もしくは無置換のアシル基、―（Ｃ＝Ｏ）―Ｏ―Ｒ５１、置換もしくは無置換のアルキル基、置換もしくは無置換のアルケニル基、置換もしくは無置換のアリール基、または、置換もしくは無置換の複素環基を示す。置換のアシル基の置換基は、置換もしくは無置換のアルキル基、置換もしくは無置換のアルケニル基、置換もしくは無置換のアリール基、または置換もしくは無置換の複素環基である。Ｒ５１は、置換もしくは無置換のアルキル基、置換もしくは無置換のアルケニル基、置換もしくは無置換のアリール基、または、置換もしくは無置換の複素環基を示す。
該置換のアルキル基の置換基、該置換のアルケニル基の置換基、該置換のアリール基の置換基、該置換の複素環基の置換基は、ハロゲン原子、シアノ基、ニトロ基、ヒドロキシ基、ホルミル基、アルキル基、アルケニル基、アルコキシ基、アリール基である。）
【請求項１３】
前記ガリウムフタロシアニン結晶が、前記式（１）で示される化合物または前記式（２）で示される化合物を、結晶内に含有するガリウムフタロシアニン結晶である請求項１から１２のいずれか１項に記載の電子写真感光体。
【請求項１４】
前記式（１）中のＡｒ１または前記式（２）中のＡｒ２が、シアノ基、ニトロ基およびハロゲン原子からなる群より選択される少なくとも１つの基で置換されたフェニル基である請求項１から１３のいずれか１項に記載の電子写真感光体。
【請求項１５】
前記式（１）中のＡｒ１または前記式（２）中のＡｒ２が、メタ位をシアノ基またはニトロ基で置換されたフェニル基である請求項１４に記載の電子写真感光体。
【請求項１６】
前記ガリウムフタロシアニン結晶が、ＣｕＫα線のＸ線回折におけるブラッグ角２θの７．４°±０．３°および２８．２°±０．３°に強いピークを有する結晶形のヒドロキシガリウムフタロシアニン結晶である請求項１から１５のいずれか１項に記載の電子写真感光体。
【請求項１７】
請求項１から１６のいずれか１項に記載の電子写真感光体と、帯電手段、現像手段、転写手段およびクリーニング手段からなる群より選択される少なくとも１つの手段とを一体に支持し、電子写真装置本体に着脱自在であることを特徴とするプロセスカートリッジ。
【請求項１８】
請求項１から１６のいずれか１項に記載の電子写真感光体、ならびに、帯電手段、像露光手段、現像手段および転写手段を有することを特徴とする電子写真装置。
【手続補正２】
【補正対象書類名】明細書
【補正対象項目名】００１３
【補正方法】変更
【補正の内容】
【００１３】
本発明は、支持体と、電荷発生層と、電荷輸送層と、をこの順に有する電子写真感光体であって、
該電荷発生層が、
ガリウムフタロシアニン結晶、
含窒素複素環化合物、および
下記式（１）または下記式（２）で示される化合物を含有し、
該含窒素複素環化合物の複素環中の窒素原子が、置換もしくは無置換のアシル基、―（Ｃ＝Ｏ）―Ｏ―Ｒ１、置換もしくは無置換のアルキル基、置換もしくは無置換のアルケニル基、置換もしくは無置換のアリール基、および置換もしくは無置換の複素環基から選択される何れかの置換基（ただし、置換のアシル基の置換基は、置換もしくは無置換のアルキル基、置換もしくは無置換のアルケニル基、置換もしくは無置換のアリール基、または置換もしくは無置換の複素環基である。Ｒ１は、置換もしくは無置換のアルキル基、置換もしくは無置換のアルケニル基、置換もしくは無置換のアリール基、または、置換もしくは無置換の複素環基を示す。
該置換のアルキル基の置換基、該置換のアルケニル基の置換基、該置換のアリール基の置換基、該置換の複素環基の置換基は、ハロゲン原子、シアノ基、ニトロ基、ヒドロキシ基、ホルミル基、アルキル基、アルケニル基、アルコキシ基、またはアリール基である。）を有することを特徴とする電子写真感光体。
【化１】
2015069089.tif 000008
（上記式（１）中、ｍは４〜８の整数を示す。ｍ個のＡｒ１は同一であっても異なってもよく、置換もしくは無置換の芳香族炭化水素環、置換もしくは無置換の複素環、または、置換の芳香族炭化水素環、無置換の芳香族炭化水素環、置換の複素環および無置換の複素環からなる群より選択される複数の基が結合して形成された１価の基を示す。）
【化２】
2015069089.tif 000009
（上記式（２）中、４個のＲ２は同一であっても異なっても良く、水素原子、または、置換もしくは無置換のアルキル基を示す。４個のＡｒ２は同一であっても異なってもよく、置換もしくは無置換の芳香族炭化水素環、置換もしくは無置換の複素環、または、置換の芳香族炭化水素環、無置換の芳香族炭化水素環、置換の複素環および無置換の複素環からなる群より選択される複数の基が結合して形成された１価の基を示す。）
【手続補正３】
【補正対象書類名】明細書
【補正対象項目名】００１８
【補正方法】変更
【補正の内容】
【００１８】
本発明の電子写真感光体は、上記のとおり、支持体と、電荷発生層と、電荷輸送層と、をこの順に有する電子写真感光体であって、
該電荷発生層が、
ガリウムフタロシアニン結晶、
含窒素複素環化合物、および
下記式（１）または下記式（２）で示される化合物を含有することを特徴とする。
該含窒素複素環化合物の複素環中の窒素原子が、置換もしくは無置換のアシル基、―（Ｃ＝Ｏ）―Ｏ―Ｒ１、置換もしくは無置換のアルキル基、置換もしくは無置換のアルケニル基、置換もしくは無置換のアリール基、および置換もしくは無置換の複素環基から選択されるいずれかの置換基（ただし、置換のアシル基の置換基は、置換もしくは無置換のアルキル基、置換もしくは無置換のアルケニル基、置換もしくは無置換のアリール基、または置換もしくは無置換の複素環基である。Ｒ１は、置換もしくは無置換のアルキル基、置換もしくは無置換のアルケニル基、置換もしくは無置換のアリール基、または、置換もしくは無置換の複素環基を示す。
置換のアルキル基の置換基、置換のアルケニル基の置換基、置換のアリール基の置換基、該置換の複素環基の置換基は、ハロゲン原子、シアノ基、ニトロ基、ヒドロキシ基、ホルミル基、アルキル基、アルケニル基、アルコキシ基、またはアリール基である。）を有することを特徴とする電子写真感光体。
【化３】
2015069089.tif 000010
上記式（１）中、ｍは４〜８の整数を示す。ｍ個のＡｒ１は同一であっても異なってもよく、置換もしくは無置換の芳香族炭化水素環、置換もしくは無置換の複素環、または、置換の芳香族炭化水素環、無置換の芳香族炭化水素環、置換の複素環および無置換の複素環からなる群より選択される複数の基が結合して形成された１価の基を示す。
【化４】
2015069089.tif 000011
上記式（２）中、４個のＲ２は同一であっても異なっても良く、水素原子、または、置換もしくは無置換のアルキル基を示す。４個のＡｒ２は同一であっても異なってもよく、置換もしくは無置換の芳香族炭化水素環、置換もしくは無置換の複素環、または、置換の芳香族炭化水素環、無置換の芳香族炭化水素環、置換の複素環および無置換の複素環からなる群より選択される複数の基が結合して形成された１価の基を示す。
【手続補正４】
【補正対象書類名】明細書
【補正対象項目名】００３８
【補正方法】変更
【補正の内容】
【００３８】
また、電荷発生層における上記式（１）で示される化合物の含有量または上記式（２）で示される化合物の含有量が、上記ガリウムフタロシアニン結晶に対して０．０１質量％以上５質量％以下であることが好ましい。
【手続補正５】
【補正対象書類名】明細書
【補正対象項目名】００３９
【補正方法】変更
【補正の内容】
【００３９】
さらに、上記ガリウムフタロシアニン結晶が、上記式（１）または上記式（２）で示される化合物を結晶内に含有するガリウムフタロシアニン結晶であることが好ましい。
【手続補正６】
【補正対象書類名】明細書
【補正対象項目名】００７５
【補正方法】変更
【補正の内容】
【００７５】
また、電荷発生層における上記式（１）で示される化合物の含有量または上記式（２）で示される化合物の含有量は、ガリウムフタロシアニン結晶に対して０．３質量％以上５質量％以下であることが好ましい。
【手続補正７】
【補正対象書類名】明細書
【補正対象項目名】００７７
【補正方法】変更
【補正の内容】
【００７７】
電荷発生層に含有される上記式（１）または上記式（２）で示される化合物は、非晶質であっても結晶質であってもよい。また、上記式（１）または上記式（２）で示される化合物を２種類以上組み合わせて用いることもできる。